(57)【要約】【課題】ブック原稿の読取画質の低下を抑えることができる画像読取装置を提供する。【解決手段】画像読取ユニット１３は、原稿台に載置された原稿を光学的に読み取る。状態検出部５３は、原稿台に載置された原稿がブック原稿である場合において、ブック原稿の開閉状態を検出する。画像処理部５４は、画像読取ユニット１３がブック原稿を読み取って得られた読取データに対して影を除去するための画像処理である影処理を行う。画像処理部５４は、原稿台１１に載置されたブック原稿が開状態であることを状態検出部５３が検出した場合には、読取データに対する影処理は行わない。【選択図】図６
2019220854.tif 000002
【特許請求の範囲】
【請求項１】
原稿台に載置された原稿を光学的に読み取る読取部と、
前記原稿台にブック原稿が載置された場合において、当該ブック原稿の開閉状態を検出する検出部と、
前記読取部がブック原稿を読み取って得られた読取データに対して、ブック原稿の一方向における中央部の影を少なくとも除去するための画像処理を行う画像処理部とを備え、
前記画像処理部は、前記原稿台に載置されたブック原稿が閉状態であることを前記検出部が検出した場合、ブック原稿の前記一方向における中央部の影を除去するための画像処理は行わないことを特徴とする画像読取装置。
【請求項２】
前記検出部は、前記原稿台に載置されたブック原稿が開状態である場合にブック原稿の向きを検出し、
前記画像処理部は、前記検出部が検出したブック原稿の向きに基づき、ブック原稿の前記一方向における中央部の領域を判断することを特徴とする請求項１に記載の画像読取装置。
【発明の詳細な説明】
【技術分野】
【０００１】
本発明は、原稿の画像を読み取る画像読取装置に関する。
【背景技術】
【０００２】
原稿台に載置された原稿に光を照射し、原稿からの反射光を受光素子で受光して原稿の読取データを取得する画像読取装置が知られている。
【０００３】
このような画像読取装置において、ブック原稿（本）の読み取りを行うことがある。ブック原稿を見開きの状態で原稿台に載置して読み取った場合、読取データにおいて、見開きページの中央部（のど）に対応する画像の中央部に影が生じる。
【０００４】
これに対し、ユーザによりブックモードが指定されると、ブック原稿の読取データに対して画像の中央部等の影を除去する技術が知られている（特許文献１参照）。
【先行技術文献】
【特許文献】
【０００５】
【特許文献１】特開平１０−３０７４６０号公報
【発明の概要】
【発明が解決しようとする課題】
【０００６】
ここで、ブック原稿を閉じた状態で原稿台に載置してブック原稿の表紙等を読み取った場合には、見開きページを読み取った場合に生じるような、読取データにおける画像の中央部の影は生じない。
【０００７】
しかし、ブック原稿を閉じた状態で読み取りを行う場合でも、ブックモードが指定されると、見開きの場合と同様に読取データにおける影を除去するための処理が行われる。この結果、影ではない画像の中央部が除去され、読取画質の低下を招く。
【０００８】
ところで、原稿台に載置された原稿がブック原稿であるか否かは、原稿台上の原稿を押さえる圧板が十分に閉じているか否かにより検出できる。そこで、圧板の開閉状態から原稿台に載置された原稿がブック原稿であることが検出された場合に、ユーザが指定することなく、ブックモードが自動設定されるようにすることが可能である。
【０００９】
このようにブックモードが自動設定される場合においても、ブック原稿を閉じた状態で原稿台に載置して読み取りを行う場合にも、ブックモードが自動設定され、読取データにおける影を除去するための処理が行われることがある。この結果、影ではない画像の中央部が除去され、読取画質の低下を招くことがある。
【００１０】
本発明は上記に鑑みてなされたもので、ブック原稿の読取画質の低下を抑えることができる画像読取装置を提供することを目的とする。
【課題を解決するための手段】
【００１１】
上記目的を達成するため、本発明の画像読取装置は、原稿台に載置された原稿を光学的に読み取る読取部と、前記原稿台にブック原稿が載置された場合において、当該ブック原稿の開閉状態を検出する検出部と、前記読取部がブック原稿を読み取って得られた読取データに対して、ブック原稿の一方向における中央部の影を少なくとも除去するための画像処理を行う画像処理部とを備え、前記画像処理部は、前記原稿台に載置されたブック原稿が閉状態であることを前記検出部が検出した場合、ブック原稿の前記一方向における中央部の影を除去するための画像処理は行わないことを特徴とする。
【発明の効果】
【００１２】
本発明の画像処理装置によれば、ブック原稿の読取画質の低下を抑えることができる。
【図面の簡単な説明】
【００１３】
【図１】実施の形態に係る画像読取装置の概略構成を模式的に示すブロック図である。
【図２】図１に示す画像読取装置の外観図である。
【図３】図１に示す画像読取装置の側面図である。
【図４】図１に示す画像読取装置のカバーオープンセンサにおける第１および第２角度センサの論理を説明するための図である。
【図５】図１に示す画像読取装置の画像読取ユニットおよび原稿長さセンサを示す平面図である。
【図６】図１に示す画像読取装置の特徴的な機能部を示すブロック図である。
【図７】図１に示す画像読取装置の動作を説明するためのフローチャートである。
【図８】開状態のブック原稿を天側または地側から見た図である。
【図９】天地方向が画像読取装置の前後方向に平行になる向きで原稿台に載置された開状態のブック原稿を上側から見た図である。
【図１０】図９の向きで原稿台に載置された開状態のブック原稿による圧板の押圧部分を示す図である。
【図１１】天地方向が画像読取装置の前後方向に直交する向きで原稿台に載置された開状態のブック原稿を上側から見た図である。
【図１２】図１１の向きで原稿台に載置された開状態のブック原稿による圧板の押圧部分を示す図である。
【図１３】原稿台に載置された閉状態のブック原稿を上側から見た図である。
【図１４】閉状態のブック原稿による圧板の押圧部分を示す図である。
【図１５】影処理の対象領域の説明図である。
【図１６】影処理の対象領域の説明図である。
【発明を実施するための形態】
【００１４】
以下、本発明の実施の形態について、図面を参照して説明する。各図面を通じて同一もしくは同等の部位や構成要素には、同一もしくは同等の符号を付している。
【００１５】
以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１６】
図１は、本発明の実施の形態に係る画像読取装置の概略構成を模式的に示すブロック図である。図２は、図１に示す画像読取装置の外観図である。図３は、図１に示す画像読取装置の側面図である。図４は、図１に示す画像読取装置のカバーオープンセンサにおける第１および第２角度センサの論理（オン、オフ）を説明するための図である。図５は、図１に示す画像読取装置の画像読取ユニットおよび原稿長さセンサを示す平面図である。図６は、図１に示す画像読取装置の特徴的な機能部を示すブロック図である。なお、以下の説明において、図２の矢印で示す上下左右前後を上下左右前後方向とする。
【００１７】
図１、図２に示すように、本実施の形態に係る画像読取装置１は、装置本体２と、原稿台カバー３と、操作パネル４とを備える。
【００１８】
装置本体２は、原稿台１１、カバーオープンセンサ１２、画像読取ユニット（読取部に相当）１３、原稿長さセンサ１４，１５、および制御回路１６を保持または収納している。
【００１９】
原稿台１１は、読取対象の原稿が載置される台である。原稿台１１は、透明なガラスからなる。原稿台１１の表面（上面）に原稿が載置される。原稿台１１は、平面視矩形状に形成されている。
【００２０】
ここで、本実施の形態において、主走査方向（前後方向）に平行な方向を、原稿の幅方向とする。すなわち、図５に示すように、原稿の主走査方向における長さを、原稿幅とする。また、主走査方向に直交する方向である副走査方向（左右方向）における原稿の長さを、原稿長さとする。原稿台１１の主走査方向（前後方向）の長さは、画像読取装置１で読取可能な最大定型サイズの原稿の原稿幅よりも大きい。原稿台１１の副走査方向（左右方向）の長さは、画像読取装置１で読取可能な最大定型サイズの原稿の原稿長さよりも大きい。
【００２１】
カバーオープンセンサ１２は、後述する原稿台カバー３の圧板３１の開閉状態を検出するためのものである。図３に示すように、カバーオープンセンサ１２は、センサフラッグ２１と、第１角度センサ２２と、第２角度センサ２３とを備える。
【００２２】
センサフラッグ２１は、原稿台カバー３の開閉に応じて上下動する。センサフラッグ２１は、原稿台カバー３の回動軸の前側近傍に配置されている。
【００２３】
第１角度センサ２２および第２角度センサ２３は、センサフラッグ２１を検出する。第１角度センサ２２の下方に第２角度センサ２３が配置されている。図４に示すように、第１角度センサ２２は、圧板３１の開閉角度θが第１角度θ１より大きいときはオフ（センサフラッグ２１を検出していない状態）となり、開閉角度θが第１角度θ１以下のときにオン（センサフラッグ２１を検出している状態）となる。第２角度センサ２３は、開閉角度θが第２角度θ２より大きいときはオフとなり、開閉角度θが第２角度θ２以下のときにオンとなる。ここで、圧板３１の開閉角度θは、図３に示すように、水平面である原稿台１１の表面と圧板３１とがなす角度である。
【００２４】
第１角度θ１は、原稿幅の検出の際に、画像読取ユニット１３で圧板３１の開状態における読取動作を行う角度として設定されたものである。第２角度θ２は、原稿幅の検出の際に、閉じられる圧板３１が閉状態になったことを示す角度として設定されたものである。第２角度θ２は第１角度θ１より小さい。
【００２５】
画像読取ユニット１３は、原稿台１１に載置された原稿を光学的に読み取る。画像読取ユニット１３は、原稿台１１の裏面側（下方）に配置されている。画像読取ユニット１３は、図示しないモータ等により、副走査方向（左右方向）に水平移動可能に構成されている。図５、図６に示すように、画像読取ユニット１３は、２つの光源２６と、ラインセンサ２７とを備える。
【００２６】
光源２６は、原稿台１１の裏面側から原稿台１１に向けて光を出射する。２つの光源２６は、ラインセンサ２７を挟んで左右方向に並列して配置されている。
【００２７】
ラインセンサ２７は、主走査方向（前後方向）に沿って配置された複数の読取素子を有する。ラインセンサ２７は、原稿台１１側からの光を読取素子で受光し、読取データを生成する。ラインセンサ２７の読取素子は、例えば、ＣＣＤ（Charge Coupled Device）からなる。
【００２８】
原稿長さセンサ１４，１５は、原稿台１１上の原稿の原稿長さを検出するために用いられるセンサである。原稿長さセンサ１４，１５は、発光部および受光部を有する光学式の反射センサからなる。原稿長さセンサ１４，１５は、原稿の定型サイズに応じた位置に配置されている。
【００２９】
制御回路１６は、画像読取装置１全体の動作を制御する。制御回路１６の詳細は後述する。
【００３０】
原稿台カバー３は、原稿台１１を覆うものである。原稿台カバー３は、原稿台１１の後端より後方に配置された、副走査方向に平行な回動軸（図示せず）を中心に回動することで、原稿台１１に対して開閉する。原稿台カバー３は、原稿台１１に載置された原稿を押さえる圧板３１を備える。圧板３１は、原稿台１１全体を覆う大きさの白色の板状に形成されている。圧板３１は、原稿台カバー３の回動により、原稿台１１の表面に対して開閉する。
【００３１】
圧板３１には、圧板３１のほぼ全面に広がるシート状の感圧センサ３２が設けられている。感圧センサ３２は、原稿台１１に載置されたブック原稿を圧板３１で押さえたときに、圧板３１上のブック原稿による押圧部分を検出するためのものである。
【００３２】
操作パネル４は、各種の入力画面等を表示するとともに、ユーザによる入力操作を受け付ける。操作パネル４は、液晶表示パネル等からなる表示部と、各種の操作キー、タッチパネル等を有する入力部（いずれも図示せず）とを備える。操作パネル４は、画像読取装置１が接続される印刷装置に備えられたものでもよい。
【００３３】
次に、上述した制御回路１６の構成を説明する。図６に示すように、制御回路１６は、ＣＰＵ４１と、ＲＡＭ４２と、フラッシュメモリ４３と、ＦｅＲＡＭ４４と、入出力Ｉ／Ｆ（インタフェース）４５とを備える。
【００３４】
ＣＰＵ４１は、フラッシュメモリ４３に格納されたプログラムに従って動作することにより、読取制御部５１、原稿サイズ検出部５２、状態検出部（検出部に相当）５３、および画像処理部５４を構築する。
【００３５】
読取制御部５１は、原稿台１１に載置された原稿の画像を読み取るよう画像読取ユニット１３を制御する。また、読取制御部５１は、原稿の読み取り開始前に、画像読取ユニット１３による原稿幅の検出のための読取動作を実行する。
【００３６】
原稿サイズ検出部５２は、画像読取ユニット１３による原稿幅の検出のための読取動作で得られた読取データに基づき、原稿幅を検出する。また、原稿サイズ検出部５２は、原稿台１１への原稿載置のために開かれた圧板３１が閉じられる際の、第１角度センサ２２がオンになった時点における原稿長さセンサ１４，１５の論理（オン、オフ）に基づき、原稿台１１上の原稿の原稿長さを検出する。ここで、原稿長さセンサ１４，１５の論理は、定型サイズにおける原稿長さと関連付けられている。このため、原稿サイズ検出部５２は、原稿長さセンサ１４，１５の論理から原稿長さを検出できる。
【００３７】
状態検出部５３は、原稿台１１に載置された原稿がブック原稿である場合において、感圧センサ３２の検出結果を用いて、当該ブック原稿の開閉状態、および当該ブック原稿が開状態である場合における当該ブック原稿の向きを検出する。ブック原稿の開状態は、ブック原稿を開き、見開きページを下にして原稿台１１に載置した状態である。ブック原稿の閉状態は、ブック原稿を閉じたまま、表表紙または裏表紙を下にして原稿台１１に載置した状態である。開状態のブック原稿の向きとしては、ブック原稿の天地方向が画像読取装置１における前後方向（主走査方向）に平行になる向きと、ブック原稿の小口方向（天地方向に直交する方向）が画像読取装置１における前後方向に平行になる向きとがある。
【００３８】
画像処理部５４は、原稿台１１に載置されたブック原稿が開状態であることを状態検出部５３が検出した場合、画像読取ユニット１３がブック原稿を読み取って得られた読取データに対して影を除去するための画像処理である影処理を行う。画像処理部５４は、原稿台１１に載置されたブック原稿が開状態であることを状態検出部５３が検出した場合には、読取データに対する影処理は行わない。影処理の詳細は後述する。
【００３９】
ＲＡＭ４２は、一時的なデータの保存や演算時におけるＣＰＵ４１のワークエリアとして使用されるものである。
【００４０】
フラッシュメモリ４３は、各種のプログラム等を不揮発的に記憶する。
【００４１】
ＦｅＲＡＭ４４は、画像読取装置１の機体に固有の各種の調整値等を不揮発的に記憶する。
【００４２】
入出力Ｉ／Ｆ４５は、制御回路１６に操作パネル４を接続するものである。
【００４３】
次に、画像読取装置１の動作について説明する。
【００４４】
図７は、画像読取装置１の動作を説明するためのフローチャートである。図７のフローチャートの処理は、ユーザの操作により原稿台カバー３が開かれ、圧板３１が開状態となったことにより開始となる。圧板３１が開状態となったことは、カバーオープンセンサ１２の第１角度センサ２２がオフになったことにより検出される。圧板３１が開状態となった後、ユーザの操作により原稿台１１に原稿が載置され、原稿台カバー３（圧板３１）が閉じられ始める。
【００４５】
図７のステップＳ１において、読取制御部５１は、第１角度センサ２２がオンになったか否かを判断する。ここで、原稿台１１に原稿を載置したユーザが圧板３１を閉じる際に、圧板３１の開閉角度θが第１角度θ１になると、第１角度センサ２２がオンになる。第１角度センサ２２がオンになっていないと判断した場合（ステップＳ１：ＮＯ）、読取制御部５１は、ステップＳ１を繰り返す。
【００４６】
第１角度センサ２２がオンになったと判断した場合（ステップＳ１：ＹＥＳ）、ステップＳ２において、読取制御部５１は、画像読取ユニット１３を制御して、原稿幅検出のための読取動作を実行する。具体的には、読取制御部５１は、光源２６から原稿台１１に向けて光を出射し、ラインセンサ２７で原稿台１１側からの光を受光して、圧板３１の開閉角度θが第１角度θ１であるときの読取データである第１読取データを生成する。
【００４７】
ここで、読取制御部５１は、画像読取ユニット１３を待機位置から原稿サイズ検出位置へ移動させており、原稿サイズ検出位置に配置された画像読取ユニット１３により、原稿幅検出のための読取動作を実行する。待機位置は、待機中の画像読取ユニット１３の位置であり、原稿台１１の左端より左方にある。原稿サイズ検出位置は、原稿幅の検出のための読取動作を行う位置であり、原稿台１１の左端から所定距離だけ右側にある。
【００４８】
また、ステップＳ２において、原稿サイズ検出部５２は、原稿長さセンサ１４，１５の論理（オン、オフ）を取得する。
【００４９】
次いで、ステップＳ３において、読取制御部５１は、第２角度センサ２３がオンになったか否かを判断する。
【００５０】
第２角度センサ２３がオンになったと判断した場合（ステップＳ３：ＹＥＳ）、ステップＳ４において、読取制御部５１は、画像読取ユニット１３を制御して、原稿幅検出のための読取動作を実行し、第２読取データを生成する。第２読取データは、圧板３１の開閉角度θが第２角度θ２であるときの読取データである。
【００５１】
次いで、ステップＳ５において、原稿サイズ検出部５２は、原稿サイズ（原稿幅および原稿長さ）を検出する。
【００５２】
具体的には、原稿サイズ検出部５２は、第１読取データと第２読取データとを比較して、原稿幅を検出する。
【００５３】
ここで、第１読取データは、圧板３１の開閉角度θが第１角度θ１の状態、すなわち、圧板３１が開状態で行われた読取動作により取得されたものである。また、第２読取データは、圧板３１の開閉角度θが第２角度θ２の状態、すなわち、圧板３１が閉状態で行われた読取動作により取得されたものである。圧板３１が閉状態では、原稿台１１上の原稿の外側の部分（非原稿部）においては、光源２６の光の圧板３１による反射光がラインセンサ２７で受光される。これに対し、圧板３１が開状態では、非原稿部における圧板３１による反射光はほとんどラインセンサ２７で受光されない。
【００５４】
このため、第１読取データと第２読取データとを比較すると、原稿部の輝度はほとんど変化しない一方で、非原稿部の輝度は大きく変化する。そこで、原稿サイズ検出部５２は、第１読取データと第２読取データとの間の各画素の輝度の差分に基づき、原稿部を検出し、その幅を原稿幅として検出する。
【００５５】
また、原稿サイズ検出部５２は、ステップＳ２で取得した、第１角度センサ２２がオンになった時点における原稿長さセンサ１４，１５の論理（オン、オフ）に基づき、原稿長さを検出する。
【００５６】
次いで、ステップＳ６において、読取制御部５１は、操作パネル４に対する操作により、原稿の読取開始が指示されたか否かを判断する。読取開始が指示されていないと判断した場合（ステップＳ６：ＮＯ）、読取制御部５１は、ステップＳ６を繰り返す。
【００５７】
読取開始が指示されたと判断した場合（ステップＳ６：ＹＥＳ）、ステップＳ７において、読取制御部５１は、画像読取ユニット１３を制御して原稿の読取動作を実行する。具体的には、読取制御部５１は、画像読取ユニット１３を待機位置から右方向へ移動させつつ、光源２６から原稿台１１に向けて光を出射し、ラインセンサ２７で原稿台１１側からの光を受光して読取データを生成するよう制御する。読取制御部５１は、生成した読取データを、ステップＳ５で検出された原稿サイズに応じて切り取り、原稿の読取データとする。これにより、一連の動作が終了となる。
【００５８】
ステップＳ３において、第２角度センサ２３がオンになっていないと判断した場合（ステップＳ３：ＮＯ）、ステップＳ８において、読取制御部５１は、操作パネル４に対する操作により、原稿の読取開始が指示されたか否かを判断する。読取開始が指示されていないと判断した場合（ステップＳ８：ＮＯ）、読取制御部５１は、ステップＳ３に戻る。
【００５９】
読取開始が指示されたと判断した場合（ステップＳ８：ＹＥＳ）、ステップＳ９において、読取制御部５１は、原稿台１１に載置された読取対象の原稿がブック原稿であると判定する。
【００６０】
ここで、第１角度センサ２２がオンになった後、第２角度センサ２３がオンにならないまま読取開始が指示されたことは、ユーザが原稿を原稿台１１に載置して原稿台カバー３を閉じる操作を行ったが、圧板３１が閉状態にならないまま読取開始を指示したことを意味する。このような操作は、原稿台１１に載置された原稿の厚さが大きく、圧板３１を閉状態とすることができない場合に行われる。そこで、この場合、読取制御部５１は、原稿台１１に載置された読取対象の原稿がブック原稿（本）であると判定する。これにより、ブックモードが自動設定される。
【００６１】
次いで、ステップＳ１０において、原稿サイズ検出部５２は、原稿サイズを検出する。
【００６２】
ここで、ブック原稿の場合、第２読取データを取得できないため、上述したような、第１読取データと第２読取データとの比較により原稿幅を検出する方法は使用できない。そこで、ステップＳ１０では、原稿サイズ検出部５２は、第１読取データに基づき、原稿幅を検出する。
【００６３】
前述のように、圧板３１が開状態では非原稿部における圧板３１による反射光はほとんどラインセンサ２７で受光されないため、第１読取データでは、非原稿部は原稿部に比べて輝度が小さくなる。そこで、ステップＳ１０では、原稿サイズ検出部５２は、第１読取データにおける各画素の輝度に基づき原稿部を検出し、その幅を原稿幅として検出する。
【００６４】
次いで、ステップＳ１１において、状態検出部５３は、感圧センサ３２の検出結果を用いて、原稿台１１に載置されたブック原稿の開閉状態、および当該ブック原稿が開状態である場合における当該ブック原稿の向きを検出する。
【００６５】
ここで、開状態のブック原稿を天側または地側から見た図を図８に示す。また、天地方向が画像読取装置１の前後方向に平行になる向きで原稿台１１に載置された開状態のブック原稿を上側から見た図を図９に示す。
【００６６】
図８に示すように、開状態のブック原稿Ｂは、背６１が盛り上がった状態となる。このため、図９のようにブック原稿Ｂが原稿台１１に載置されている場合、圧板３１でブック原稿Ｂを押さえると、ブック原稿Ｂの背６１が圧板３１に強く押される。
【００６７】
このため、圧板３１は、ブック原稿Ｂの背６１に接する部分が強く押圧される。そして、図１０に示すように、圧板３１におけるブック原稿Ｂの背６１に対応する部分が、感圧センサ３２により、ブック原稿Ｂによる押圧部分として検出される。
【００６８】
このように、ブック原稿Ｂが開状態で、その向きが、天地方向が前後方向に平行になる向きである場合は、左右方向におけるブック原稿Ｂの中央部において、ブック原稿Ｂの背６１による押圧部分が検出される。ここで、圧板３１における押圧部分は、感圧センサ３２により閾値以上の圧力が検出される部分である。
【００６９】
また、図１１に示すように、開状態のブック原稿Ｂが、天地方向が前後方向に直交する向きで原稿台１１に載置されたとする。この場合、圧板３１でブック原稿Ｂを押さえると、図１２に示すように、前後方向におけるブック原稿Ｂの中央部において、ブック原稿Ｂの背６１による押圧部分が検出される。
【００７０】
また、図１３に示すように、ブック原稿Ｂが閉状態で原稿台１１に載置されたとする。ブック原稿Ｂの表表紙または裏表紙を読み取る場合に、ブック原稿Ｂが閉状態で原稿台１１に載置される。この場合、圧板３１でブック原稿Ｂを押さえると、ブック原稿Ｂの後側（原稿台カバー３の回動軸側）となる面の上側の端辺Ｂｅに圧板３１が接した状態となる。そして、図１４に示すように、圧板３１におけるブック原稿Ｂの端辺Ｂｅに対応する部分が、感圧センサ３２により、ブック原稿Ｂによる押圧部分として検出される。
【００７１】
上述のように、ブック原稿の開閉状態、および当該ブック原稿が開状態である場合における当該ブック原稿の向きにより、圧板３１におけるブック原稿による押圧部分の、ブック原稿に対応する領域内における位置および形状が異なる。
【００７２】
このことから、状態検出部５３は、感圧センサ３２により検出される圧板３１におけるブック原稿による押圧部分の、ブック原稿に対応する領域内における位置および形状から、ブック原稿の開閉状態、および開状態のブック原稿の向きを検出できる。ここで、ブック原稿に対応する領域は、原稿サイズ検出部５２により検出された原稿サイズ（原稿幅および原稿長さ）から判断できる。
【００７３】
なお、見開きページの一方側と他方側とで厚さが大きく異なる場合では、ブック原稿の背以外の部分が圧板３１に接し、その部分が、感圧センサ３２により、ブック原稿Ｂによる押圧部分として検出されることがある。このような場合でも、圧板３１におけるブック原稿による押圧部分の、ブック原稿に対応する領域内における位置および形状から、ブック原稿の開閉状態、および開状態のブック原稿の向きを検出することが可能である。
【００７４】
図７に戻り、ステップＳ１２において、読取制御部５１は、画像読取ユニット１３を制御して原稿の読取動作を実行する。読取制御部５１は、画像読取ユニット１３がブック原稿を読み取って生成した読取データを、ステップＳ１０で検出された原稿サイズに応じて切り取り、ブック原稿の読取データとする。
【００７５】
次いで、ステップＳ１３において、画像処理部５４は、ステップＳ１０で検出されたブック原稿の開閉状態が、開状態であるか否かを判断する。ブック原稿が閉状態であると画像処理部５４が判断した場合（ステップＳ１３：ＮＯ）、そのまま一連の動作が終了となる。
【００７６】
ブック原稿が開状態であると判断した場合（ステップＳ１３：ＹＥＳ）、ステップＳ１４において、画像処理部５４は、ブック原稿の読取データに対して後述の影処理を行う。これにより、一連の動作が終了となる。
【００７７】
次に、上述した図７のステップＳ１４で行われる影処理について説明する。
【００７８】
図８のようにブック原稿Ｂを開状態で原稿台１１に載置した場合、見開きページの中央部（のど）において、原稿台１１から浮いた部分が生じる。このため、読取データにおいて、ブック原稿Ｂの小口方向における中央部（見開きページの中央部）に影が生じる。
【００７９】
また、図８のように、ブック原稿Ｂの小口６２が、上側ほど外側に向かうように傾斜し、原稿台１１から浮いた面になる。この部分が読み取られることで、読取データにおいて、ブック原稿Ｂの小口方向における端部に影が生じることがある。
【００８０】
また、ブック原稿Ｂの読み取り時には、圧板３１が閉状態ではないため、ブック原稿Ｂの天側の端辺の外側や地側の端辺の外側を含む、ブック原稿Ｂの周囲に影が生じることがある。また、ブック原稿Ｂの載置位置が正常な位置からずれていたり、ブック原稿Ｂが傾いていたりした場合には、ブック原稿Ｂの周囲の影が大きくなることがある。ブック原稿Ｂを開状態で原稿台１１に載置して圧板３１で押さえる場合、ブック原稿Ｂの位置ずれや傾きが生じやすい。
【００８１】
影処理は、上述のような読取データに生じる影を除去するための処理である。具体的には、画像処理部５４は、図１５、図１６に示すような、ブック原稿の読取データＢＤにおける中央領域７１内および周縁領域７２内の画像を除去する。図１５、図１６において斜線ハッチングで示す中央領域７１および周縁領域７２が、影処理の対象領域である。
【００８２】
中央領域７１は、開状態のブック原稿の一方向である小口方向における読取データＢＤの中央部に設定された、天地方向の全長にわたって延びる領域である。中央領域７１の幅は、予め設定された固定値でもよいし、ユーザが設定可能であってもよい。
【００８３】
周縁領域７２は、読取データＢＤの画像の外周に沿った領域である。周縁領域７２の幅は、予め設定された固定値でもよいし、ユーザが設定可能であってもよい。また、周縁領域７２における小口側の部分、天側の部分、および地側の部分のそれぞれについて、異なる幅を設定可能としてもよい。
【００８４】
原稿台１１に載置されたブック原稿の向きが、天地方向が主走査方向（前後方向）に平行になる向きである場合、画像処理部５４は、図１５のように、読取データＢＤの副走査方向における中央部に中央領域７１を設定する。すなわち、画像処理部５４は、読取データＢＤの副走査方向における中央部が、見開きページの中央部の領域であると判断する。
【００８５】
原稿台１１に載置されたブック原稿の向きが、天地方向が主走査方向（前後方向）に直交する向きである場合は、画像処理部５４は、図１６のように、読取データＢＤの主走査方向における中央部に中央領域７１を設定する。すなわち、画像処理部５４は、読取データＢＤの主走査方向における中央部が、見開きページの中央部の領域であると判断する。
【００８６】
なお、影処理は、中央領域７１内および周縁領域７２内の画像を除去する処理に限らず、例えば、中央領域７１内および周縁領域７２内の画像の濃度を閾値以下にまで低減する処理でもよい。
【００８７】
ここで、ブック原稿を閉状態で読み取った場合は、読取データにおいて、閉状態のブック原稿の小口方向または天地方向である一方向における中央部に影は生じない。このため、ブック原稿を閉状態で読み取った場合は、中央領域７１内の画像を除去する処理は行うべきではない。また、ブック原稿を閉状態で読み取った場合は、上述したような、開状態のブック原稿の傾斜した小口が読み取られることで影が生じることはない。また、ブック原稿を閉状態で原稿台１１に載置する場合は、開状態の場合に比べて、大きな位置ずれや傾きは生じにくい。このため、ブック原稿を閉状態で読み取った場合は、周縁領域７２内の画像を除去する処理の必要性は比較的小さい。そこで、画像読取装置１では、原稿台１１に載置されたブック原稿が閉状態である場合は（図７のステップＳ１３：ＮＯ）、影処理を行わない。
【００８８】
以上説明したように、画像読取装置１では、状態検出部５３は、感圧センサ３２の検出結果を用いて、原稿台１１に載置されたブック原稿の開閉状態を検出する。画像処理部５４は、原稿台１１に載置されたブック原稿が開状態であることを状態検出部５３が検出した場合、ブック原稿の読取データに対して影処理を行う。原稿台１１に載置されたブック原稿が開状態であることを状態検出部５３が検出した場合には、画像処理部５４は、読取データに対する影処理は行わない。これにより、閉状態のブック原稿を読み取って得られた読取データに対して、不要な影処理を行うことを回避できる。具体的には、読取データにおける影ではないブック原稿の画像の一方向（小口方向または天地方向）の中央部を除去することを回避できる。この結果、ブック原稿の読取画質の低下を抑えることができる。
【００８９】
また、画像読取装置１では、状態検出部５３は、原稿台１１に載置されたブック原稿が開状態である場合に当該ブック原稿の向きを検出する。画像処理部５４は、ブック原稿の向きに基づき影処理の対象領域を判断する。これにより、原稿台１１に開状態でブック原稿を載置する際のブック原稿の向きが決められていなくても、ブック原稿の向きに応じて適切な影処理を行うことができる。
【００９０】
なお、上述した実施の形態では、中央領域７１および周縁領域７２を影処理の対象領域としたが、中央領域７１のみを影処理の対象領域としてもよい。開状態のブック原稿の読取データに対して行う影処理は、少なくとも見開きページの中央部（ブック原稿の一方向の中央部）の影を除去する処理であればよい。
【００９１】
また、原稿台１１に載置されたブック原稿が閉状態である場合において、周縁領域７２の影を除去する処理は行うようにしてもよい。これにより、閉状態のブック原稿を読み取った場合に、読取データにおけるブック原稿の周囲に影が生じても、その影を除去できる。
【００９２】
また、上述した実施の形態では、ブック原稿の開閉状態を検出するために感圧センサ３２を設けたが、他の構成によりブック原稿の開閉状態を検出するようにしてもよい。例えば、原稿台１１上のブック原稿の形状を検出可能な光学式のセンサを設け、そのセンサにより検出されたブック原稿の形状から、ブック原稿の開閉状態を検出するようにしてもよい。
【００９３】
また、上述した実施の形態では、圧板３１の開閉状態から、原稿台１１に載置された原稿がブック原稿であると判断するとブックモードを自動設定したが、ブックモードは、ユーザによる操作パネル４の操作に応じて設定するものであってもよい。
【００９４】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【００９５】
［付記］
本出願は、以下の発明を開示する。
【００９６】
（付記１）
原稿台に載置された原稿を光学的に読み取る読取部と、
前記原稿台にブック原稿が載置された場合において、当該ブック原稿の開閉状態を検出する検出部と、
前記読取部がブック原稿を読み取って得られた読取データに対して、ブック原稿の一方向における中央部の影を少なくとも除去するための画像処理を行う画像処理部とを備え、
前記画像処理部は、前記原稿台に載置されたブック原稿が閉状態であることを前記検出部が検出した場合、ブック原稿の前記一方向における中央部の影を除去するための画像処理は行わないことを特徴とする画像読取装置。
【００９７】
（付記２）
前記検出部は、前記原稿台に載置されたブック原稿が開状態である場合にブック原稿の向きを検出し、
前記画像処理部は、前記検出部が検出したブック原稿の向きに基づき、ブック原稿の前記一方向における中央部の領域を判断することを特徴とする付記１に記載の画像読取装置。
【符号の説明】
【００９８】
１  画像読取装置
２  装置本体
３  原稿台カバー
４  操作パネル
１１  原稿台
１２  カバーオープンセンサ
１３  画像読取ユニット
１４，１５  原稿長さセンサ
１６  制御回路
３１  圧板
３２  感圧センサ
４１  ＣＰＵ
４２  ＲＡＭ
４３  フラッシュメモリ
４４  ＦｅＲＡＭ
４５  入出力Ｉ／Ｆ
５１  読取制御部
５２  原稿サイズ検出部
５３  状態検出部
５４  画像処理部
７１  中央領域
７２  周縁領域
【図１】
2019220854.tif 000003
【図２】
2019220854.tif 000004
【図３】
2019220854.tif 000005
【図４】
2019220854.tif 000006
【図５】
2019220854.tif 000007
【図６】
2019220854.tif 000008
【図７】
2019220854.tif 000009
【図８】
2019220854.tif 000010
【図９】
2019220854.tif 000011
【図１０】
2019220854.tif 000012
【図１１】
2019220854.tif 000013
【図１２】
2019220854.tif 000014
【図１３】
2019220854.tif 000015
【図１４】
2019220854.tif 000016
【図１５】
2019220854.tif 000017
【図１６】
2019220854.tif 000018